(57)【要約】【課題】高精度な色の検査を容易かつ短時間で行うことが可能な色検査方法及び色検査装置を提供する。【解決手段】光検出感度の波長特性が互いに異なる三つの光検出部への光の入射に応じた当該三つの光検出部の出力から入射した光の色の測定値を取得する第１の色測定手段、及び第１の色測定手段による測定値と同一の表色系で第１の色測定手段より高精度に入射光の色の測定値を取得する第２の色測定手段の各々により、検査対象光の近傍の色を有し互いに色が異なる少なくとも三つの参照光の色の測定値を取得し、第１の色測定手段により得られた当該少なくとも三つの参照光の色の測定値をそれぞれ第２の色測定手段による測定値又は当該測定値の近似値に変換する変換式の係数を算定する。また、第１の色測定手段による検査対象光の色の測定値を変換式により変換して測定値を補正する。【選択図】図６
2016099176.tif 000002
【特許請求の範囲】
【請求項１】
色を検査する色検査方法であって、
光検出感度の波長特性が互いに異なる三つの光検出部への光の入射に応じた当該三つの光検出部の出力から当該入射した光の色の測定値を取得する第１の色測定手段、及び当該第１の色測定手段による測定値と同一の表色系で当該第１の色測定手段より高精度に光の色の測定値を取得する第２の色測定手段の各々により、検査対象光の近傍の色を有し互いに色が異なる少なくとも三つの参照光の色の測定値を取得する参照光測定ステップ、
前記参照光測定ステップにおいて前記第１の色測定手段により得られた前記少なくとも三つの参照光の色の測定値をそれぞれ前記第２の色測定手段による測定値又は当該測定値の近似値に変換する変換式の係数を算定する係数算定ステップ、
前記第１の色測定手段により前記検査対象光の色の測定値を取得する検査対象光測定ステップ、
前記検査対象光測定ステップでの色の測定値を前記変換式により変換して当該測定値を補正する補正ステップ、
を含むことを特徴とする色検査方法。
【請求項２】
前記少なくとも三つの参照光の各々は、前記第２の色測定手段により取得される色の測定値が前記検査対象光の検査に係る色の範囲を示す検査規格の外縁又は内部の色となる光であることを特徴とする請求項１記載の色検査方法。
【請求項３】
前記少なくとも三つの参照光のうち何れか一つは、前記第２の色測定手段により取得される色の測定値が前記検査対象光の検査に係る色の範囲を示す検査規格の中心の色となる光であることを特徴とする請求項１又は２記載の色検査方法。
【請求項４】
前記少なくとも三つの参照光のうち少なくとも一つは、前記第２の色測定手段により取得される色の測定値が前記検査対象光の検査に係る色の範囲を示す検査規格の外縁の色のうちの何れかとなる光であることを特徴とする請求項１〜３の何れか一項記載の色検査方法。
【請求項５】
前記検査規格が示す色の範囲は、ＭａｃＡｄａｍ楕円Ｓｔｅｐ３により示される色の範囲であり、前記検査規格の中心の色は、ＭａｃＡｄａｍ楕円Ｓｔｅｐ３の中心の色であることを特徴とする請求項２〜４の何れか一項記載の色検査方法。
【請求項６】
前記少なくとも三つの参照光の各々は、有機発光層を備える一の有機発光手段から互いに異なる方向に射出された光であることを特徴とする請求項１〜５の何れか一項記載の色検査方法。
【請求項７】
前記参照光測定ステップでは、少なくとも四つの前記参照光の色を測定し、
前記係数算定ステップでは、前記参照光測定ステップでの前記少なくとも四つの参照光の色の前記第１の色測定手段による測定値をそれぞれ前記第２の色測定手段による測定値の近似値に変換する変換式の係数を最小二乗法により算定する
ことを特徴とする請求項１〜６の何れか一項記載の色検査方法。
【請求項８】
前記第２の色測定手段は、入射した光を分光して得られたスペクトルと等色関数との積の積分値から当該入射した光の色の測定値を取得することを特徴とする請求項１〜７の何れか一項記載の色検査方法。
【請求項９】
色を検査する色検査装置であって、
光検出感度の波長特性が互いに異なる三つの光検出部への光の入射に応じた当該三つの光検出部の出力から当該入射した光の色の測定値を取得する第１の色測定手段と、
前記第１の色測定手段、及び当該第１の色測定手段による測定値と同一の表色系で当該第１の色測定手段より高精度に光の色の測定値を取得する第２の色測定手段の各々による、検査対象光の近傍の色を有し互いに色が異なる少なくとも三つの参照光の色の測定値に基づいて算定された変換式の係数であって、前記第１の色測定手段により得られた前記少なくとも三つの参照光の色の測定値をそれぞれ前記第２の色測定手段による測定値又は当該測定値の近似値に変換する変換式の係数を記憶する記憶手段と、
前記第１の色測定手段による前記検査対象光の色の測定値を前記変換式により変換して当該測定値を補正する補正手段と、
を備えることを特徴とする色検査装置。
【発明の詳細な説明】
【技術分野】
【０００１】
本発明は、色検査方法及び色検査装置に関する。
【背景技術】
【０００２】
従来、照明装置等が発する光の色を測定する装置として、分光型色測定装置と刺激値直読型色測定装置とが知られている。
分光型色測定装置は、入射光を分光して得られたスペクトルとＣＩＥ（国際照明委員会）が定める三つの等色関数に基づいた高精度の色の測定が可能である。しかしながら、分光型色測定装置は、測定に要する時間が長く、また測定できる面積が限られる。
一方、刺激値直読型色測定装置は、短時間に、また分光型色測定装置と比較して大きな面積での測定を行うことが可能である。しかしながら、刺激値を取得するための各光検出器の分光感度特性を等色関数に一致させることが困難であるため、一般に刺激値直読型色測定装置は、分光型色測定装置と比較して色の測定精度が劣る。
【０００３】
照明装置等の検査用途には、短時間で高精度な光の色の計測が要求される。そこで、短時間での計測が可能な刺激値直読型色測定装置による光の色の測定精度を向上させる方法として、刺激値直読型色測定装置による測定値に対して予め求めておいた変換係数を乗じることで校正を行う技術が知られている。
例えば特許文献１では、波長が異なる複数の光束のそれぞれについて分光型の色測定装置である標準測定器での測定値と刺激値直読型の色彩計での測定値との偏差から変換係数を求めておき、測定される光の波長に応じて選択された変換係数により色彩計での測定値を校正する方法が開示されている。
また、特許文献２では、ｘｙ色度図上において単一波長を示す３点を頂点とする三角形のうち測定値の色度を含み面積が最小となる三角形の頂点に対応する三つの波長の光を用いて変換係数を算定し、刺激値直読型の色測定装置による測定値に当該変換係数を乗じて校正する方法が開示されている。
【先行技術文献】
【特許文献】
【０００４】
【特許文献１】特開２００１−３２４３８６号公報
【特許文献２】特開２００８−３０４３６２号公報
【発明の概要】
【発明が解決しようとする課題】
【０００５】
しかしながら、従来の方法では、変換係数の導出に用いた光の色と検査対象の光の色との色差が大きくなり、精度の高い校正を行うことができないという課題がある。
このように、従来の方法では、短時間で簡易かつ高い測定精度で検査を行うことが困難であるという課題がある。
【０００６】
この発明の目的は、高精度な色の検査を容易かつ短時間で行うことが可能な色検査方法及び色検査装置を提供することにある。
【課題を解決するための手段】
【０００７】
上記目的を達成するため、請求項１に記載の色検査方法の発明は、
色を検査する色検査方法であって、
光検出感度の波長特性が互いに異なる三つの光検出部への光の入射に応じた当該三つの光検出部の出力から当該入射した光の色の測定値を取得する第１の色測定手段、及び当該第１の色測定手段による測定値と同一の表色系で当該第１の色測定手段より高精度に光の色の測定値を取得する第２の色測定手段の各々により、検査対象光の近傍の色を有し互いに色が異なる少なくとも三つの参照光の色の測定値を取得する参照光測定ステップ、
前記参照光測定ステップにおいて前記第１の色測定手段により得られた前記少なくとも三つの参照光の色の測定値をそれぞれ前記第２の色測定手段による測定値又は当該測定値の近似値に変換する変換式の係数を算定する係数算定ステップ、
前記第１の色測定手段により前記検査対象光の色の測定値を取得する検査対象光測定ステップ、
前記検査対象光測定ステップでの色の測定値を前記変換式により変換して当該測定値を補正する補正ステップ、
を含むことを特徴としている。
【０００８】
請求項２に記載の発明は、請求項１に記載の色検査方法において、
前記少なくとも三つの参照光の各々は、前記第２の色測定手段により取得される色の測定値が前記検査対象光の検査に係る色の範囲を示す検査規格の外縁又は内部の色となる光であることを特徴としている。
【０００９】
請求項３に記載の発明は、請求項１又は２に記載の色検査方法において、
前記少なくとも三つの参照光のうち何れか一つは、前記第２の色測定手段により取得される色の測定値が前記検査対象光の検査に係る色の範囲を示す検査規格の中心の色となる光であることを特徴としている。
【００１０】
請求項４に記載の発明は、請求項１〜３の何れか一項に記載の色検査方法において、
前記少なくとも三つの参照光のうち少なくとも一つは、前記第２の色測定手段により取得される色の測定値が前記検査対象光の検査に係る色の範囲を示す検査規格の外縁の色のうちの何れかとなる光であることを特徴としている。
【００１１】
請求項５に記載の発明は、請求項２〜４の何れか一項に記載の色検査方法において、
前記検査規格が示す色の範囲は、ＭａｃＡｄａｍ楕円Ｓｔｅｐ３により示される色の範囲であり、前記検査規格の中心の色は、ＭａｃＡｄａｍ楕円Ｓｔｅｐ３の中心の色であることを特徴としている。
【００１２】
請求項６に記載の発明は、請求項１〜５の何れか一項に記載の色検査方法において、
前記少なくとも三つの参照光の各々は、有機発光層を備える一の有機発光手段から互いに異なる方向に射出された光であることを特徴としている。
【００１３】
請求項７に記載の発明は、請求項１〜６の何れか一項に記載の色検査方法において、
前記参照光測定ステップでは、少なくとも四つの前記参照光の色を測定し、
前記係数算定ステップでは、前記参照光測定ステップでの前記少なくとも四つの参照光の色の前記第１の色測定手段による測定値をそれぞれ前記第２の色測定手段による測定値の近似値に変換する変換式の係数を最小二乗法により算定する
ことを特徴としている。
【００１４】
請求項８に記載の発明は、請求項１〜７の何れか一項に記載の色検査方法において、
前記第２の色測定手段は、入射した光を分光して得られたスペクトルと等色関数との積の積分値から当該入射した光の色の測定値を取得することを特徴としている。
【００１５】
また上記目的を達成するため、請求項９に記載の色検査装置の発明は、
色を検査する色検査装置であって、
光検出感度の波長特性が互いに異なる三つの光検出部への光の入射に応じた当該三つの光検出部の出力から当該入射した光の色の測定値を取得する第１の色測定手段と、
前記第１の色測定手段、及び当該第１の色測定手段による測定値と同一の表色系で当該第１の色測定手段より高精度に光の色の測定値を取得する第２の色測定手段の各々による、検査対象光の近傍の色を有し互いに色が異なる少なくとも三つの参照光の色の測定値に基づいて算定された変換式の係数であって、前記第１の色測定手段により得られた前記少なくとも三つの参照光の色の測定値をそれぞれ前記第２の色測定手段による測定値又は当該測定値の近似値に変換する変換式の係数を記憶する記憶手段と、
前記第１の色測定手段による前記検査対象光の色の測定値を前記変換式により変換して当該測定値を補正する補正手段と、
を備えることを特徴としている。
【発明の効果】
【００１６】
本発明に従うと、高精度な色の検査を容易かつ短時間で行うことができるという効果がある。
【図面の簡単な説明】
【００１７】
【図１】色検査システムの概略構成を示す図である。
【図２】刺激値直読型色測定装置及び情報処理装置の主要な機能構成を示すブロック図である。
【図３】分光型色測定装置の主要な機能構成を示すブロック図である。
【図４】光源の概略構成を示す図である。
【図５】色検査システムの検査規格の例を示す図である。
【図６】変換式取得処理の制御手順を示すフローチャートである。
【図７】色検査処理の制御手順を示すフローチャートである。
【発明を実施するための形態】
【００１８】
以下、本発明の色検査方法及び色検査装置に係る実施の形態を図面に基づいて説明する。
【００１９】
図１は、本実施形態の色検査システム１の概略構成を示す図である。
色検査システム１は、刺激値直読型色測定装置１０（色検査装置、第１の色測定手段）と、分光型色測定装置２０（第２の色測定手段）と、刺激値直読型色測定装置１０及び分光型色測定装置２０に接続された情報処理装置３０と、刺激値直読型色測定装置１０及び分光型色測定装置２０に光を照射する光源４０（有機発光手段）とを備える。本実施形態の刺激値直読型色測定装置１０及び分光型色測定装置２０は、ＸＹＺ表色系の三刺激値を色の測定値として取得する。
【００２０】
図２は、刺激値直読型色測定装置１０及び情報処理装置３０の主要な機能構成を示すブロック図である。
刺激値直読型色測定装置１０は、カラーフィルター１１Ｒ，１１Ｇ，１１Ｂ及び受光部１２Ｒ，１２Ｇ，１２Ｂをそれぞれ含む光検出部１３Ｒ，１３Ｇ，１３Ｂ（以下では単にカラーフィルター１１、受光部１２、光検出部１３とも記す）と、ＡＤＣ１４Ｒ，１４Ｇ，１４Ｂ（Analog-Digital Converter：アナログ−デジタル変換器）（以下では単にＡＤＣ１４とも記す）と、ＣＰＵ１５（Central Processing Unit）（補正手段）と、ＲＡＭ１６（Random Access Memory）（記憶手段）と、ＲＯＭ１７（Read Only Memory）と、インターフェース１８と、バス１９などを備える。ＣＰＵ１５は、バス１９を介してＡＤＣ１４、ＲＡＭ１６、ＲＯＭ１７、及びインターフェース１８と接続されている。
【００２１】
カラーフィルター１１Ｒ，１１Ｇ，１１Ｂは、互いに異なる透過率波長特性を有しており、光源４０からの入射光からそれぞれ赤、緑、青の光を透過させる素子である。カラーフィルター１１Ｒ，１１Ｇ，１１Ｂを透過した光は、それぞれ受光部１２Ｒ，１２Ｇ，１２Ｂに入射する。
なお、カラーフィルター１１と光源４０との間に、光源４０からの入射光を集光させる集光レンズ等の光学系が設けられていてもよい。
【００２２】
受光部１２は、カラーフィルター１１から入射した光を受光し、当該受光した光の強度に応じた電圧をＡＤＣ１４に出力する。受光部１２は、例えば光電変換素子としてのフォトダイオードと、フォトダイオードの出力電流を電圧に変換する変換回路と、当該変換回路の出力を増幅する増幅器とから構成される。
受光部１２への入射光強度に対する受光部１２の出力電圧の大きさを示す受光感度は、所定の波長特性を有している。また、各受光部１２の構成は同一であり、従って受光感度の波長特性も互いにほぼ同一である。
【００２３】
上記のカラーフィルター１１Ｒ及び受光部１２Ｒにより赤に対応する光検出部１３Ｒが構成され、カラーフィルター１１Ｇ及び受光部１２Ｇにより緑に対応する光検出部１３Ｇが構成され、カラーフィルター１１Ｂ及び受光部１２Ｂにより青に対応する光検出部１３Ｂが構成される。
光検出部１３Ｒ，１３Ｇ，１３Ｂは、所定の波長特性の光検出感度で（即ち所定の分光感度特性で）入射光強度に応じた信号をそれぞれＡＤＣ１４Ｒ，ＡＤＣ１４Ｇ，ＡＤＣ１４Ｂに出力する。従って、光検出部１３Ｒ，１３Ｇ，１３Ｂの分光感度特性は、それぞれカラーフィルター１１Ｒ，１１Ｇ，１１Ｂの透過率波長特性と受光部１２Ｒ、１２Ｇ，１２Ｂの受光感度の波長特性との積で表される。また、各光検出部１３の分光感度特性が等色関数に近くなるようにカラーフィルター１１及び受光部１２の特性が調整されている。
また、光検出部１３からの出力信号は、入射光の各波長成分の強度と、光検出部１３の当該波長での光検出感度との積を積分した値（即ち入射光のスペクトルと光検出部１３の分光感度特性との積の積分値）に比例する。この出力信号は、各光検出部１３の分光感度特性に応じた入射光のＸＹＺ表色系での三刺激値を表す。
刺激値直読型色測定装置１０では、上述のように光検出部１３の分光感度特性が等色関数に近くなるよう調整されているが、等色関数に完全に一致させることは困難である。このため、刺激値直読型色測定装置１０で取得される三刺激値は、等色関数に基づいて算定された三刺激値とは異なる値となる。即ち、刺激値直読型色測定装置１０による色の測定値は、等色関数に基づいて測定された測定値に対して誤差を含む。
【００２４】
ＡＤＣ１４Ｒ，１４Ｇ，１４Ｂは、それぞれ光検出部１３Ｒ，１３Ｇ，１３Ｂから入力されたアナログ信号をデジタル信号に変換して出力する。
【００２５】
ＣＰＵ１５は、各種演算処理を行い、刺激値直読型色測定装置１０の全体動作を統括制御する。ＣＰＵ１５は、入射光の三刺激値を表すＡＤＣ１４の各出力を色の測定値（Ｒ，Ｇ，Ｂ）としてＲＡＭ１６に記憶させる。また、ＣＰＵ１５は、ＲＡＭ１６に記憶された変換式の係数のデータにより検査対象光の色の測定値（Ｒ，Ｇ，Ｂ）を変換、補正（校正）して得られた補正値（Ｘｃ，Ｙｃ，Ｚｃ）をＲＡＭ１６に記憶させる。また、ＣＰＵ１５は、補正値（Ｘｃ，Ｙｃ，Ｚｃ）の表色系を変換して検査値（ｘ，ｙ）を取得しＲＡＭ１６に記憶させる。また、ＣＰＵ１５は、検査値（ｘ，ｙ）の検査規格への適否を判定して判定結果をＲＡＭ１６に記憶させる。
【００２６】
ＲＡＭ１６は、ＣＰＵ１５に作業用のメモリー空間を提供し、一時データを記憶する。また、ＲＡＭ１６には、ＣＰＵ１５により算定された測定値（Ｒ，Ｇ，Ｂ）、補正値（Ｘｃ，Ｙｃ，Ｚｃ）、検査値（ｘ，ｙ）、検査値（ｘ，ｙ）の検査規格への適否の判定結果、変換式の係数のデータ及び検査規格を示す色度範囲の情報が記憶される。
【００２７】
ＲＯＭ１７は、ＣＰＵ１５により実行される各種制御用のプログラムや設定データ等を格納する。当該プログラムには、例えば、入射光の色を測定する色測定プログラム、色の測定値の補正プログラム、ＸＹＺ表色系の補正値（Ｘｃ，Ｙｃ，Ｚｃ）をｘｙＹ表色系の検査値（ｘ，ｙ）に変換する表色系変換プログラム、検査値（ｘ，ｙ）の検査規格への適否を判定する判定プログラム等が含まれている。
【００２８】
インターフェース１８は、情報処理装置３０のインターフェース３４との間でデータの送受信を行う手段であり、各種シリアルインターフェースで構成される。
【００２９】
続いて、情報処理装置３０の主要な機能構成について説明する。
情報処理装置３０は、ＣＰＵ３１と、ＲＡＭ３２と、記憶部３３と、インターフェース３４と、操作入力部３５と、表示部３６と、バス３７などを備える。ＣＰＵ３１は、バス３７を介してＲＡＭ３２、記憶部３３、インターフェース３４、操作入力部３５、及び表示部３６と接続されている。情報処理装置３０は、例えばパーソナルコンピューターである。
【００３０】
ＣＰＵ３１は、各種演算処理を行い、情報処理装置３０の全体動作を統括制御する。例えば、ＣＰＵ３１は、操作入力部３５からの出力信号に応じて記憶部３３に記憶されたプログラムを実行し、結果を表示部３６に表示させる。また、ＣＰＵ３１は、インターフェース３４から制御信号を出力させることにより刺激値直読型色測定装置１０及び分光型色測定装置２０に色の測定動作を行わせる。また、ＣＰＵ３１は、ＲＡＭ３２に記憶された参照光の色の測定値から変換式の係数を算定してＲＡＭ３２及び刺激値直読型色測定装置１０のＲＡＭ１６に記憶させる。
【００３１】
ＲＡＭ３２は、ＣＰＵ３１に作業用のメモリー空間を提供し、一時データを記憶する。また、ＲＡＭ３２には、ＣＰＵ３１による変換式の係数の算定に必要なデータ及び算定された変換式の係数のデータが一時的に記憶される。
【００３２】
記憶部３３は、例えばフラッシュメモリーや磁気記憶装置等の書き換え可能な不揮発性メモリーにより構成され、ＣＰＵ３１により実行される各種制御用のプログラムや設定データ等を格納する。当該プログラムには、例えば、変換式の係数を算定するプログラムが含まれている。
【００３３】
インターフェース３４は、刺激値直読型色測定装置１０のインターフェース１８及び分光型色測定装置２０のインターフェース２７（図３）との間でデータの送受信を行う手段であり、各種シリアルインターフェースで構成される。
【００３４】
操作入力部３５は、キーボード、マウス、タッチパネル等により構成され、ユーザーからの操作指示の入力を受け付けて当該入力に対応する信号を出力する。操作入力部３５に入力される操作指示としては、刺激値直読型色測定装置１０及び分光型色測定装置２０に対する色の測定動作の実行指示が含まれる。
【００３５】
表示部３６は、液晶表示装置等により構成され、ＣＰＵ３１によるプログラムの実行結果等を表示する。
【００３６】
図３は、分光型色測定装置２０の主要な機能構成を示すブロック図である。
分光型色測定装置２０は、回折格子２１と、受光部２２と、ＡＤＣ２３と、ＣＰＵ２４と、ＲＡＭ２５と、ＲＯＭ２６と、インターフェース２７と、バス２８などを備える。ＣＰＵ２４は、バス２８を介してＡＤＣ２３、ＲＡＭ２５、ＲＯＭ２６、及びインターフェース２７と接続されている。
【００３７】
回折格子２１は、図示しない光学系により平行光とされた光源４０からの入射光を格子状の溝部により回折させ、受光部２２の光入射面において各波長の光の干渉パターンを異なる位置に生成させることで入射光を分光する素子である。
【００３８】
受光部２２は、その光入射面に線状に配列された複数の撮像素子を備えたラインセンサーであり、各撮像素子において回折格子２１により分光された波長の異なる光をそれぞれ受光して当該受光した光の強度に応じた電圧信号を各々ＡＤＣ２３に出力する。従ってこの受光部２２からの出力は、入射光のスペクトルを表す。撮像素子としては、例えば光電変換素子としてフォトダイオードを備えるＣＭＯＳ（Complementary Metal Oxide Semiconductor）センサー又はＣＣＤ（Charge Coupled Device）センサー等を用いることができる。
【００３９】
ＡＤＣ２３は、受光部２２から入力されたアナログ信号をデジタル信号に変換して出力する。
【００４０】
ＣＰＵ２４は、各種演算処理を行い、分光型色測定装置２０の全体動作を統括制御する。ＣＰＵ２４は、ＲＡＭ２５に記憶された等色関数のデータと、入射光のスペクトルを表すＡＤＣ２３の出力からＸＹＺ表色系の三刺激値を算定し、当該三刺激値を色の測定値（Ｘ，Ｙ，Ｚ）としてＲＡＭ２５に記憶させる。
このように分光型色測定装置２０は、入射光のスペクトルと等色関数とから算定された三刺激値を測定値（Ｘ，Ｙ，Ｚ）とするため、刺激値直読型色測定装置１０より高精度に色を測定することができる。ここで色の測定精度が高いとは、Ｌ＊ａ＊ｂ＊表色系等の均等色空間において、予め色が特定されている測定対象物を測定して得られた測定値と当該測定対象物の色との色差が小さいことをいう。
【００４１】
ＲＡＭ２５は、ＣＰＵ２４に作業用のメモリー空間を提供し、一時データを記憶する。また、ＲＡＭ２５には、等色関数のデータが保存されている。また、ＲＡＭ２５には、ＣＰＵ２４により算定された測定値（Ｘ，Ｙ，Ｚ）が記憶される。
【００４２】
ＲＯＭ２６は、ＣＰＵ２４により実行される各種制御用のプログラムや設定データ等を格納する。当該プログラムには、例えば、入射光の色を測定する色測定プログラムが含まれている。
【００４３】
インターフェース２７は、情報処理装置３０のインターフェース３４との間でデータの送受信を行う手段であり、各種シリアルインターフェースで構成される。インターフェース２７と接続される情報処理装置３０のインターフェース３４は、刺激値直読型色測定装置１０のインターフェース１８と接続されるインターフェース３４と同一のものであってもよいし、別個のものであってもよい。
【００４４】
図４は、光源４０の概略構成を示す図であり、図４（ａ）は斜視図、図４（ｂ）は図４（ａ）のＡ−Ａ’線を含むＸＺ平面に平行な平面での断面図である。
光源４０は、有機ＥＬ（Electro Luminescence）素子を用いた有機発光装置であり、刺激値直読型色測定装置１０又は分光型色測定装置２０に参照光又は検査対象光を照射する。光源４０は、内部に空間を形成するガラス基板４１及び封止ガラス４２と、ガラス基板４１の封止ガラス４２側の面に順に積層された光透過性を有する陽極４３、有機発光層４４、及び陰極４５を備えている。ガラス基板４１及び封止ガラス４２は、内部の空間に窒素ガスが充填された状態で光硬化型接着剤４６により接着され、密閉される。
有機発光層４４は、例えば正孔注入層、正孔輸送層、発光層、電子輸送層、電子注入層等から構成され、陽極４３と陰極４５との間に電圧が印加されて駆動電流が流れることで発光する。有機発光層４４は、白色の光を発する単層の発光層を含んで構成されていてもよいし、赤、緑、青の光を発する各発光層が積層された構成を有していてもよい。
有機発光層４４からの光は、一部は直接ガラス基板４１側から射出され、一部は陰極４５に反射されてガラス基板４１側から射出される。また他の一部の光は、陽極４３やガラス基板４１の表面（或いは有機発光層４４が多層の場合にはこれらの界面）と陰極４５との間で構成される共振構造内を複数回反射した後にガラス基板４１側から射出される。
【００４５】
光源４０は、共振構造における干渉条件が光の射出角に応じて異なること等に起因して、射出光の色が角度依存性を有している。即ち、光源４０は、図４（ｂ）に示す射出角θに応じて射出される光の色が変化する特性を有している。
【００４６】
また、図１に示すように、本実施形態の色検査システム１の光源４０は、刺激値直読型色測定装置１０及び分光型色測定装置２０に対して相対的に移動可能であり、刺激値直読型色測定装置１０及び分光型色測定装置２０の各々に対して同一の条件で光を照射する。また、光源４０は、所定の回転軸を中心に回転可能に構成され、刺激値直読型色測定装置１０及び分光型色測定装置２０に対して種々の射出角θで射出された光を照射する。
また、色検査システム１では、変換式の係数の算定に用いる参照光を射出する光源４０と、色検査システム１による検査の対象である検査対象光を射出する複数の光源４０とが適宜取り替えられて使用される。検査対象光を射出する光源４０は、例えば照明装置であり、参照光を射出する光源４０は、例えば当該照明装置の検査規格の内部又は近傍の色の光を照射可能な照明装置である。
【００４７】
次に、色検査システム１による色検査方法について説明する。
色検査システム１では、刺激値直読型色測定装置１０により検査対象光の色の測定が行われる。しかしながら、上述の通り、刺激値直読型色測定装置１０による色の測定値（Ｒ，Ｇ，Ｂ）は、分光型色測定装置２０による測定値（Ｘ，Ｙ，Ｚ）に対して誤差を含んでいる。そこで、色検査システム１では、予め用意された変換式の係数により刺激値直読型色測定装置１０による検査対象光の色の測定値（Ｒ，Ｇ，Ｂ）を変換、補正して補正値（Ｘｃ，Ｙｃ，Ｚｃ）が取得される。そして、補正値（Ｘｃ，Ｙｃ，Ｚｃ）の表色系を変換することで検査値（ｘ，ｙ）が取得され、得られた検査値（ｘ，ｙ）が所定の検査規格に適合しているか否かが判定される。
【００４８】
図５は、色検査システム１の検査規格の例を示す図である。
本実施形態の色検査システム１では、ｘｙＹ表色系でのｘｙ色度図においてＭａｃＡｄａｍ楕円Ｓｔｅｐ３により示される範囲が検査規格とされている。図５には、この他にＭａｃＡｄａｍ楕円Ｓｔｅｐ１，Ｓｔｅｐ２，Ｓｔｅｐ４も併せて描かれている。
【００４９】
ＭａｃＡｄａｍ楕円Ｓｔｅｐ１は、ｘｙ色度図上の特定の色（中心の色）に対して多数の等色実験を行い、その結果の分布の標準偏差を中心の色からの複数の方向の各々についてプロットして得られたものである。ＭａｃＡｄａｍ楕円Ｓｔｅｐ１は、人間の目により中心の色との色差を判別できない色度の範囲を表す。また、ＭａｃＡｄａｍ楕円Ｓｔｅｐ３は、長軸及び短軸の長さがそれぞれＭａｃＡｄａｍ楕円Ｓｔｅｐ１の３倍となる楕円である。ＭａｃＡｄａｍ楕円Ｓｔｅｐ３は、人間の目により中心の色との色差を判別できる色度を含むが、発光手段からの光を射出する照明装置等において、射出される光の色度の装置間ばらつきとして一般的に許容される色度範囲を表すとされている。このため、ＭａｃＡｄａｍ楕円Ｓｔｅｐ３は、照明装置等の製品の色に関する代表的な規格の一つとなっている。
【００５０】
ＭａｃＡｄａｍ楕円は、ｘｙ色度図上の任意の点（ｘ，ｙ）について導出することができる。即ち、任意の色度についてＭａｃＡｄａｍ楕円を定める三つのパラメーターである長軸の長さ、短軸の長さ、及び長軸のｘ軸に対する傾きによりＭａｃＡｄａｍ楕円Ｓｔｅｐ３の検査規格を定めることができる。例えば、点（０．４５０，０．４００）を中心とするＭａｃＡｄａｍ楕円Ｓｔｅｐ３は、長軸の長さが０．０１６、短軸の長さが０．００８、長軸のｘ軸に対する傾きが５１．４度であり、点Ｐ１（０．４５５，０．４０６）、点Ｐ２（０．４４７，０．４０３）、点Ｐ３（０．４４５，０．３９４）、点Ｐ４（０．４５３，０．３９７）等を通る楕円である。
【００５１】
次に、色検査システム１において刺激値直読型色測定装置１０の測定値（Ｒ，Ｇ，Ｂ）の補正に用いられる変換式及び当該変換式の係数を成分とする変換行列について説明する。
色検査システム１による色検査方法では、予め検査対象光の近傍の色を有し互いに色が異なる三つの参照光の色を刺激値直読型色測定装置１０と分光型色測定装置２０とで測定し、このうち刺激値直読型色測定装置１０による測定値を分光型色測定装置２０による測定値に変換する変換式の係数を算定する。ここで、検査対象光の近傍の色の範囲は、例えば検査規格であるＭａｃＡｄａｍ楕円Ｓｔｅｐ３の内部又は外縁上で表される範囲である。また、当該検査対象光の近傍の色の範囲は、検査規格の近傍の色の範囲、即ち長軸及び短軸がＭａｃＡｄａｍ楕円Ｓｔｅｐ３の所定数倍（１．２倍、１．５倍など）である楕円の内部又は外縁上で表される範囲を含んでいても良い。
【００５２】
具体的には、ｉ番目（ｉは１≦ｉ≦３を満たす整数）の参照光の刺激値直読型色測定装置１０による測定値（Ｒ（ｉ），Ｇ（ｉ），Ｂ（ｉ））と分光型色測定装置２０による測定値（Ｘ（ｉ），Ｙ（ｉ），Ｚ（ｉ））に対して以下の式を満たす変換行列を算定する。この変換行列の各成分Ｘｒ，Ｘｇ，Ｘｂ，Ｙｒ，Ｙｇ，Ｙｂ，Ｚｒ，Ｚｇ，Ｚｂが、上記変換式の係数に相当する。
【００５３】
【数１】
2016099176.tif 000003
【００５４】
上式から、Ｘｒ，Ｘｇ，Ｘｂに関する以下の３元連立１次方程式が導出される。Ｘｒ，Ｘｇ，Ｘｂは、この３元連立１次方程式から求めることができる。
Ｘ（１）＝Ｘｒ・Ｒ（１）＋Ｘｇ・Ｇ（１）＋Ｘｂ・Ｂ（１）
Ｘ（２）＝Ｘｒ・Ｒ（２）＋Ｘｇ・Ｇ（２）＋Ｘｂ・Ｂ（２）
Ｘ（３）＝Ｘｒ・Ｒ（３）＋Ｘｇ・Ｇ（３）＋Ｘｂ・Ｂ（３）
また、Ｙｒ，Ｙｇ，Ｙｂは、上式から導出される以下の３元連立１次方程式から求めることができる。
Ｙ（１）＝Ｙｒ・Ｒ（１）＋Ｙｇ・Ｇ（１）＋Ｙｂ・Ｂ（１）
Ｙ（２）＝Ｙｒ・Ｒ（２）＋Ｙｇ・Ｇ（２）＋Ｙｂ・Ｂ（２）
Ｙ（３）＝Ｙｒ・Ｒ（３）＋Ｙｇ・Ｇ（３）＋Ｙｂ・Ｂ（３）
また、Ｚｒ，Ｚｇ，Ｚｂは、上式から導出される以下の３元連立１次方程式により求めることができる。
Ｚ（１）＝Ｚｒ・Ｒ（１）＋Ｚｇ・Ｇ（１）＋Ｚｂ・Ｂ（１）
Ｚ（２）＝Ｚｒ・Ｒ（２）＋Ｚｇ・Ｇ（２）＋Ｚｂ・Ｂ（２）
Ｚ（３）＝Ｚｒ・Ｒ（３）＋Ｚｇ・Ｇ（３）＋Ｚｂ・Ｂ（３）
【００５５】
変換式の係数の算定に用いる三つの参照光は、分光型色測定装置２０による色の測定値がＭａｃＡｄａｍ楕円Ｓｔｅｐ３の内部又は近傍の色となる光から選択する。例えば、参照光は、ＭａｃＡｄａｍ楕円Ｓｔｅｐ３上の異なる三つの色に対応する光とすることができる。また、何れか一つの参照光をＭａｃＡｄａｍ楕円Ｓｔｅｐ３の中心の色に対応する光としてもよい。また、一部又は全部の参照光を、ＭａｃＡｄａｍ楕円Ｓｔｅｐ３の内部であって中心の色以外の色に対応する光としてもよい。
これら各色の参照光は、光源４０からの光の射出角θを変化させることで得ることができる。
【００５６】
次に、色検査システム１における変換式取得処理について説明する。
【００５７】
図６は、変換式取得処理の制御手順を示すフローチャートである。
情報処理装置３０のＣＰＵ３１は、光源４０から刺激値直読型色測定装置１０に参照光が照射された状態で刺激値直読型色測定装置１０のＣＰＵ１５に制御信号を出力して、刺激値直読型色測定装置１０に参照光の色の測定を行わせる（ステップＳ１１：参照光測定ステップ）。
このステップＳ１１では、ＣＰＵ１５は、インターフェース１８を介して情報処理装置３０から色の測定動作の実行を指示する制御信号が入力されると、ＲＯＭ１７から色測定プログラムを読み出して実行する。ＣＰＵ１５は、光検出部１３に制御信号を出力して参照光のスペクトルと各光検出部１３の分光感度特性とを反映した三刺激値を表す信号を出力させるとともに、ＡＤＣ１４に制御信号を出力してＡＤＣ１４から当該刺激値に対応する色の測定値（Ｒ（ｉ），Ｇ（ｉ），Ｂ（ｉ））を取得してＲＡＭ１６に記憶させる。
なお、刺激値直読型色測定装置１０による色の測定動作は、刺激値直読型色測定装置１０に設けられた図示しない入力部からユーザーによる測定動作開始指示が直接入力されることにより開始されてもよい。
ステップＳ１１が終了すると、光源４０を刺激値直読型色測定装置１０及び分光型色測定装置２０に対して相対的に移動させ、ステップＳ１１の参照光と同一の参照光が光源４０から分光型色測定装置２０に照射される状態とする。
【００５８】
ＣＰＵ３１は、光源４０から分光型色測定装置２０に参照光が照射された状態で分光型色測定装置２０のＣＰＵ２４に制御信号を出力して、分光型色測定装置２０にステップＳ１１と同一の色の参照光の測定を行わせる（ステップＳ１２：参照光測定ステップ）。
このステップＳ１２では、ＣＰＵ２４は、インターフェース２７を介して情報処理装置３０から色の測定動作の実行を指示する制御信号が入力されると、ＲＯＭ２６から色測定プログラムを読み出して実行する。ＣＰＵ２４は、受光部２２及びＡＤＣ２３に制御信号を出力して、受光部２２の各光電変換素子に入射した参照光の異なる波長成分の強度に応じた信号をＡＤＣ２３に出力させる。ＣＰＵ２４は、当該出力により表される参照光のスペクトルに、ＲＡＭ２５に記憶された三つの等色関数データをそれぞれ掛け合わせて積分し、ＸＹＺ表色系での三刺激値を算定する。ＣＰＵ２４は、当該三刺激値を測定値（Ｘ（ｉ），Ｙ（ｉ），Ｚ（ｉ））としてＲＡＭ２５に記憶させる。
なお、分光型色測定装置２０による色の測定動作は、分光型色測定装置２０に設けられた図示しない入力部からユーザーによる測定動作開始指示が直接入力されることにより開始されてもよい。
【００５９】
ＣＰＵ３１は、変換式の係数の算定に用いる全て（三つ）の参照光について刺激値直読型色測定装置１０及び分光型色測定装置２０による色の測定が完了したか否かを判別する（ステップＳ１３）。いずれかの色の参照光の測定が完了していないと判別された場合には（ステップＳ１３で“ＮＯ”）、光源４０の角度を変更させることで光源４０から刺激値直読型色測定装置１０及び分光型色測定装置２０へ射出される光の射出角θを変更して、光源４０から、測定が完了していない色の光を照射させる（ステップＳ１４）。ステップＳ１４の処理は、ＣＰＵ３１の制御下で光源４０に取り付けられたモーターを動作させること等により行われてもよいし、人の手により行われてもよい。ステップＳ１４が完了すると、ＣＰＵ３１は、処理をステップＳ１１に移行させる。
【００６０】
ステップＳ１３で全ての参照光の色の測定が完了したと判別された場合には（ステップＳ１３で“ＹＥＳ”）、ＣＰＵ３１は、測定された三つの参照光についての刺激値直読型色測定装置１０による測定値（Ｒ（ｉ），Ｇ（ｉ），Ｂ（ｉ））及び分光型色測定装置２０による測定値（Ｘ（ｉ），Ｙ（ｉ），Ｚ（ｉ））に基づいて変換式の係数を算定する（ステップＳ１５：係数算定ステップ）。詳しくは、ＣＰＵ３１は、刺激値直読型色測定装置１０のＲＡＭ１６から三つの参照光の色の測定値（Ｒ（ｉ），Ｇ（ｉ），Ｂ（ｉ））を読み出してＲＡＭ３２に記憶させるとともに、分光型色測定装置２０のＲＡＭ２５から三つの参照光の色の測定値（Ｘ（ｉ），Ｙ（ｉ），Ｚ（ｉ））を読み出してＲＡＭ３２に記憶させる。そして、上述した算定方法に従って変換式の係数Ｘｒ，Ｘｇ，Ｘｂ，Ｙｒ，Ｙｇ，Ｙｂ，Ｚｒ，Ｚｇ，Ｚｂを算定する。ＣＰＵ３１は、算定された変換式の係数のデータを刺激値直読型色測定装置１０のＲＡＭ１６に記憶させた後に、変換式取得処理を終了させる。
なお、変換式の係数の算定に用いる三つの参照光の色の測定値（Ｒ（ｉ），Ｇ（ｉ），Ｂ（ｉ））及び測定値（Ｘ（ｉ），Ｙ（ｉ），Ｚ（ｉ））は、それぞれステップＳ１１，Ｓ１２で取得された際に情報処理装置３０のＲＡＭ３２に直接記憶されるようにしてもよい。
【００６１】
次に、色検査システム１における色検査処理について説明する。
【００６２】
図７は、色検査処理の制御手順を示すフローチャートである。
ＣＰＵ３１は、光源４０から刺激値直読型色測定装置１０に検査対象光が照射された状態で刺激値直読型色測定装置１０のＣＰＵ１５に制御信号を出力して、刺激値直読型色測定装置１０に検査対象光の色の測定を行わせる（ステップＳ２１：検査対象光測定ステップ）。ＣＰＵ１５は、検査対象光の色の測定値（Ｒ，Ｇ，Ｂ）をＲＡＭ１６に記憶させる。
なお、刺激値直読型色測定装置１０による検査対象光の色の測定動作は、刺激値直読型色測定装置１０に設けられた図示しない入力部からユーザーによる測定動作開始指示が直接入力されることにより開始されてもよい。
【００６３】
ＣＰＵ１５は、ステップＳ１５で算定された変換式の係数のデータを用いて、ステップＳ２１で取得された検査対象光の色の測定値を変換して補正し、補正値（Ｘｃ，Ｙｃ，Ｚｃ）を取得する（ステップＳ２２：補正ステップ）。詳しくは、ＣＰＵ１５は、ＲＡＭ１６に記憶された検査対象光の測定値（Ｒ，Ｇ，Ｂ）と変換式の係数のデータとから下記変換式に基づく処理により補正値（Ｘｃ，Ｙｃ，Ｚｃ）を算定、取得する。ＣＰＵ１５は、取得された補正値（Ｘｃ，Ｙｃ，Ｚｃ）をＲＡＭ１６に記憶させる。
【００６４】
【数２】
2016099176.tif 000004
【００６５】
ＣＰＵ１５は、ステップＳ２２で取得された補正値（Ｘｃ，Ｙｃ，Ｚｃ）から検査値（ｘ，ｙ）を算定し、当該検査値（ｘ，ｙ）の検査規格への適否を判定する（ステップＳ２３）。具体的には、ＣＰＵ１５は、補正値（Ｘｃ，Ｙｃ，Ｚｃ）を下記式によりｘｙＹ表色系に変換し、得られた検査値（ｘ，ｙ）がＲＡＭ１６に記憶された検査規格の色の範囲、即ちＭａｃＡｄａｍ楕円Ｓｔｅｐ３上又はその内部に含まれるか否かを判定する。ＣＰＵ１５は、判定結果を示すデータ及び判定された検査対象光を同定するためのデータをＲＡＭ１６に記憶させる。
【００６６】
【数３】
2016099176.tif 000005
【００６７】
ステップＳ２３が完了すると、全ての検査対象光の検査が完了したか否かが判別される（ステップＳ２４）。ステップＳ２４は、検査を行うユーザーにより実施されてもよいし、刺激値直読型色測定装置１０のＲＡＭ１６に予め検査対象光のリストを記憶させておき、ＣＰＵ１５がリストされた全ての検査対象光の検査が完了したか否かを判別してもよい。いずれかの検査対象光の検査が完了していないと判別された場合には（ステップＳ２４で“ＮＯ”）、光源４０を取り替えて、刺激値直読型色測定装置１０に検査が完了していない検査対象光を照射させた状態で処理をステップＳ２１に戻す。
全ての検査対象光の検査が完了したと判別された場合には（ステップＳ２４で“ＹＥＳ”）、ＣＰＵ１５は、色検査処理を終了させる。
【００６８】
以上のように、本実施形態の色検査方法は、光検出感度の波長特性が互いに異なる三つの光検出部１３への光の入射に応じた当該三つの光検出部１３の出力から当該入射した光の色の測定値を取得する刺激値直読型色測定装置１０、及び当該刺激値直読型色測定装置１０による測定値と同一の表色系で当該刺激値直読型色測定装置１０より高精度に光の色の測定値を取得する分光型色測定装置２０の各々により、検査対象光の近傍の色を有し互いに色が異なる三つの参照光の色の測定値を取得する参照光測定ステップ、参照光測定ステップにおいて刺激値直読型色測定装置１０により得られた三つの参照光の色の測定値をそれぞれ分光型色測定装置２０による測定値に変換する変換式の係数を算定する係数算定ステップ、刺激値直読型色測定装置１０により検査対象光の色を測定する検査対象光測定ステップ、検査対象光測定ステップでの色の測定値を変換式により変換して当該測定値を補正する補正ステップ、を含む。これにより、刺激値直読型色測定装置１０による容易かつ短時間での色の測定と、高い色の測定精度とを併せて実現させることができる。また、変換式の係数は、検査対象光の近傍の色を有する三つの参照光の色の測定値から算定されるため、検査において測定値が集中する範囲での色の測定精度を高めることができる。
【００６９】
また、三つの参照光の各々は、分光型色測定装置２０により取得される色の測定値が検査対象光の検査に係る色の範囲を示す検査規格の外縁又は内部の色となる光である。これにより、検査規格に適合する光についての色の測定精度を高めることができる。
【００７０】
また、三つの参照光のうち何れか一つは、分光型色測定装置２０により取得される色の測定値が検査対象光の検査に係る色の範囲を示す検査規格の中心の色となる光である。これにより、検査規格の中心の色の測定精度を特に高めることができる。
【００７１】
また、三つの参照光のうち少なくとも一つは、前記第２色測定手段により取得される色の測定値が検査対象光の検査に係る色の範囲を示す検査規格の外縁の色のうちの何れかである。これにより、検査規格の外縁の色の測定精度を特に高めることが可能となり、検査対象光の検査規格への適否の判定を高精度に行うことができる。
【００７２】
また、検査規格が示す色の範囲は、ＭａｃＡｄａｍ楕円Ｓｔｅｐ３により示される色の範囲であり、検査規格の中心の色は、ＭａｃＡｄａｍ楕円Ｓｔｅｐ３の中心の色である。これにより、検査対象光の色が検査規格の中心の色との色の違いを認識される可能性が低い範囲にあるか否かを高精度に判定することができる。
【００７３】
また、三つの参照光の各々は、有機発光層４４を備える一の光源４０から互いに異なる方向に射出された光である。これにより、単一の有機発光手段を用いて容易に複数の異なる色の参照光を生成することができる。
【００７４】
また、分光型色測定装置２０は、入射した光を分光して得られたスペクトルと等色関数との積の積分値から当該入射した光の色の測定値を取得する。これにより、係数算定ステップで算定される変換式の係数を、精度の高い補正を行うことが可能なものとすることができる。
【００７５】
また、本実施形態の色検査装置としての刺激値直読型色測定装置１０は、光検出感度の波長特性が互いに異なる三つの光検出部１３への光の入射に応じた当該三つの光検出部１３の出力から当該入射した光の色の測定値を取得する第１の色測定手段と、当該第１の色測定手段、及び当該第１の色測定手段による測定値と同一の表色系で当該第１の色測定手段より高精度に光の色の測定値を取得する分光型色測定装置２０の各々による、検査対象光の近傍の色を有し互いに色が異なる三つの参照光の色の測定値に基づいて算定された変換式の係数であって、第１の色測定手段により得られた当該三つの参照光の色の測定値をそれぞれ分光型色測定装置２０による測定値に変換する変換式の係数を記憶するＲＡＭ１６と、第１の色測定手段による検査対象光の色の測定値を変換式により変換して当該測定値を補正するＣＰＵ１５と、を備える。これにより、高精度な色の検査を容易かつ短時間で行うことができる。また、刺激値直読型色測定装置１０は、光検出部１３の出力に対して複雑な処理を行うことなく測定値（Ｒ，Ｇ，Ｂ）を取得できるため、短時間に色の測定を行うことができる。また、入射光を光検出部１３のカラーフィルター１１に入射させることで色の測定が可能であり、入射光の光束に対する制約が少ないため分光型色測定装置２０より大きな面積での測定を行うことができる。
【００７６】
（変形例）
次に、上記実施形態の変形例について説明する。
上記実施形態では、刺激値直読型色測定装置１０及び分光型色測定装置２０により色の異なる三つの参照光を測定し、その測定値から変換式の係数を算定する例を説明したが、本変形例では、少なくとも四つの異なる色の参照光の測定値から変換式の係数を算定する。その他の点については上記実施形態と同様であるため、以下では上記実施形態との差異について説明する。
【００７７】
本変形例では、図６に示す変換式取得処理のステップＳ１１，Ｓ１２を少なくとも四つの異なる色の参照光について実行し、各参照光についての刺激値直読型色測定装置１０による測定値（Ｒ（ｉ），Ｇ（ｉ），Ｂ（ｉ））及び分光型色測定装置２０による測定値（Ｘ（ｉ），Ｙ（ｉ），Ｚ（ｉ））を取得する。そして、取得された測定値に基づいて、最小二乗法により変換式の係数を算定する。
即ち、下記式のεｘ（ｉ），εｙ（ｉ），εｚ（ｉ）の二乗の和を最小にするＸｒ，Ｘｇ，Ｘｂ，Ｙｒ，Ｙｇ，Ｙｂ，Ｚｒ，Ｚｇ，Ｚｂを算定する。本変形例において、ｉは１以上Ｎ以下の整数（Ｎは測定する参照光の数を示す４以上の整数）である。
Ｘ（ｉ）＝Ｘｒ・Ｒ（ｉ）＋Ｘｇ・Ｇ（ｉ）＋Ｘｂ・Ｂ（ｉ）＋εｘ（ｉ）
Ｙ（ｉ）＝Ｙｒ・Ｒ（ｉ）＋Ｙｇ・Ｇ（ｉ）＋Ｙｂ・Ｂ（ｉ）＋εｙ（ｉ）
Ｚ（ｉ）＝Ｚｒ・Ｒ（ｉ）＋Ｚｇ・Ｇ（ｉ）＋Ｚｂ・Ｂ（ｉ）＋εｚ（ｉ）
【００７８】
εｘ（ｉ）の二乗の和をＸｒで偏微分したものが０となることから下記式（１）が導出される。
【００７９】
【数４】
2016099176.tif 000006
【００８０】
同様に、εｘ（ｉ）の二乗の和をＸｇ，Ｘｂでそれぞれ偏微分したものが０となることから下記式（２），（３）が導出される。
【００８１】
【数５】
2016099176.tif 000007
【００８２】
上記の式（１）〜（３）からなる３元連立１次方程式からＸｒ，Ｘｇ，Ｘｂが算定される。
εｙ（ｉ），εｚ（ｉ）についても式（１）〜（３）に対応する数式を導出することで、それぞれＹｒ，Ｙｇ，Ｙｂ、及びＺｒ，Ｚｇ，Ｚｂが算定される。
【００８３】
このように、本変形例では、参照光測定ステップにおいて少なくとも四つの参照光の色を測定し、係数算定ステップでは、参照光測定ステップでの少なくとも四つの参照光の色の刺激値直読型色測定装置１０による測定値をそれぞれ分光型色測定装置２０による測定値の近似値に変換する変換式の係数を最小二乗法により算定する。この結果、取得された変換式は、少なくとも四つの参照光の刺激値直読型色測定装置１０での測定値をそれぞれ分光型色測定装置２０での測定値の近似値に変換することができる。また、算定に用いた参照光の色の近傍の色について、刺激値直読型色測定装置１０での測定値を高精度に補正することができるため、検査規格の範囲のうち高精度の補正が行われる部分を増加させることができる。
【００８４】
なお、本発明は、上記各実施形態及び変形例に限られるものではなく、様々な変更が可能である。
例えば、上記実施形態及び変形例では、検査規格がｘｙ色度図上のＭａｃＡｄａｍ楕円Ｓｔｅｐ３である例を説明したが、検査規格はこれに限られず、検査の対象や目的に応じてＭａｃＡｄａｍ楕円Ｓｔｅｐ１やＭａｃＡｄａｍ楕円Ｓｔｅｐ２、あるいはＭａｃＡｄａｍ楕円Ｓｔｅｐ４又はこれより大きいＭａｃＡｄａｍ楕円を検査規格としてもよい。検査規格がＭａｃＡｄａｍ楕円ＳｔｅｐＮ（Ｎは自然数）である場合の検査規格の近傍の色の範囲は、例えば長軸及び短軸がＭａｃＡｄａｍ楕円ＳｔｅｐＮの所定数倍（１．２倍、１．５倍など）である楕円の内部又は外縁上で表される範囲とすることができる。
また、ＭａｃＡｄａｍ楕円を用いず、ｘｙ色度図上の特定の範囲を検査規格としてもよい。この場合の検査規格の中心の色は、例えば検査規格のｘｙ色度図上の形状を表す図形の重心に対応する色とすることができる。また、検査規格の近傍の色の範囲は、例えば検査規格の範囲の中心を原点とし外縁上の各点の位置を示す位置ベクトルの大きさを所定数倍（１．２倍、１．５倍など）して得られた位置ベクトルが示す点により表される範囲の内部又は外縁上とすることができる。
また、検査規格が示す色の範囲は、刺激値直読型色測定装置１０及び分光型色測定装置２０による色の測定値から変換可能な表色系（例えばｘｙＹ表色系、Ｌ＊ａ＊ｂ＊表色系等）で表されていてもよいし、その表色系の要素の一部（例えばｘｙＹ表色系のうちｘｙで表された色度（色相及び彩度）、Ｌ＊ａ＊ｂ＊表色系のうちａ＊ｂ＊で表された色度等）により表されていてもよい。
【００８５】
また、上記実施形態及び変形例では、色の測定値としてＸＹＺ表色系の三刺激値を用い、刺激値直読型色測定装置１０及び分光型色測定装置２０で取得した参照光の三刺激値を表す測定値から変換式の係数を算定したが、これに限定する趣旨ではない。刺激値直読型色測定装置１０及び分光型色測定装置２０による色の測定値は、色を３要素により表現する他の任意の表色系の値、例えばＬ＊ａ＊ｂ＊表色系、Ｌ＊ｕ＊ｖ＊表色系、Ｌ＊Ｃ＊ｈ表色系、ｘｙＹ表色系等の値であってもよい。当該他の任意の表色系での測定値は、例えば刺激値直読型色測定装置１０及び分光型色測定装置２０により取得されたＸＹＺ表色系の三刺激値を変換することで求めてもよい。
【００８６】
また、上記実施形態及び変形例では、情報処理装置３０により変換式の係数の算定を行う例を説明したが、これに限定する趣旨ではなく、例えば刺激値直読型色測定装置１０により変換式の係数の算定を行ってもよい。この場合、情報処理装置３０の機能を刺激値直読型色測定装置１０に集約し、インターフェース１８，２７を介して直接接続された刺激値直読型色測定装置１０及び分光型色測定装置２０を用いて色検査システムを構成してもよい。
【００８７】
また、上記実施形態及び変形例では、光源４０からの光の射出角θを異ならせることで複数の異なる色の参照光を得る例を説明したが、これに限定する趣旨ではなく、射出光の色が異なる複数の光源４０からの光をそれぞれ参照光としてもよい。
【００８８】
また、上記実施形態及び変形例では、参照光及び検査対象光を射出する光源４０が有機発光装置からなる例を説明したが、これに限定する趣旨ではなく、可視光を発する任意の発光装置を光源４０として用いることができる。
【００８９】
また、上記実施形態及び変形例では１台の刺激値直読型色測定装置１０により検査を行う例を説明したが、これに限定する趣旨ではない。例えば、複数の刺激値直読型色測定装置１０の各々について一の分光型色測定装置２０を用いて図６に示す変換式取得処理を行って変換式の係数を算定し、得られた変換式の係数を各刺激値直読型色測定装置１０のＲＡＭ１６に記憶させてもよい。このようにすることで、各刺激値直読型色測定装置１０に含まれる光検出部１３の光検出感度の波長特性が互いに異なる場合であっても、異なる刺激値直読型色測定装置１０間での測定値の誤差を小さくすることができる。よって、複数の刺激値直読型色測定装置１０を用いた正確な色の検査を容易かつ短時間で行うことができる。
【００９０】
本発明のいくつかの実施形態を説明したが、本発明の範囲は、上述の実施の形態に限定されるものではなく、特許請求の範囲に記載された発明の範囲とその均等の範囲を含む。
【符号の説明】
【００９１】
１  色検査システム
１０  刺激値直読型色測定装置
１１Ｒ，１１Ｇ，１１Ｂ  カラーフィルター
１２Ｒ，１２Ｇ，１２Ｂ  受光部
１３Ｒ，１３Ｇ，１３Ｂ  光検出部
１４  ＡＤＣ
１５  ＣＰＵ
１６  ＲＡＭ
１７  ＲＯＭ
１８  インターフェース
１９  バス
２０  分光型色測定装置
２１  回折格子
２２  受光部
２３  ＡＤＣ
２４  ＣＰＵ
２５  ＲＡＭ
２６  ＲＯＭ
２７  インターフェース
２８  バス
３０  情報処理装置
３１  ＣＰＵ
３２  ＲＡＭ
３３  記憶部
３４  インターフェース
３５  操作入力部
３６  表示部
３７  バス
４０  光源
４１，４２  封止ガラス
４３  陽極
４４  有機発光層
４５  陰極
４６  光硬化型接着剤
【図１】
2016099176.tif 000008
【図２】
2016099176.tif 000009
【図３】
2016099176.tif 000010
【図４】
2016099176.tif 000011
【図５】
2016099176.tif 000012
【図６】
2016099176.tif 000013
【図７】
2016099176.tif 000014